Podtech/llm-jp-corpus-v4-ja_patent huggingface dataset:
(57)【要約】      （修正有）【課題】義歯を装着した状態で清掃ができる携帯型義歯清掃器具を提供する。【解決手段】ブラシ部分１、取手部分２、及び蓋４を有する収納ケ−ス３とからなり、そのブラシ部分と取手部分とは同一の挿入部品であり、蓋を有する収納ケ−ス内に納められ、その収納ケ−ス内部には殺菌或いは消毒、或いは口腔洗浄除菌を目的とする液体５を内蔵でき、蓋をすることによって液漏れを無くす携帯型義歯清掃器具であって、ブラシ部分は、丸棒下部の周囲にブラシが均一に取り付けられ、取手部分は、ブラシ部分の延長でありブラシ部分と同様の丸棒である。収納ケ−スと蓋は、各々雄ネジ７と雌ネジ６を有し、中に液体を入れても漏れることはない。【選択図】図１
0003229753.tif 000002
【実用新案登録請求の範囲】
【請求項１】
ブラシ部分、取手部分、及び収納ケ−スとからなり、収納ケ−ス内部に殺菌或いは消毒、或いは口腔洗浄除菌を目的とする液体を内蔵できることを特徴とする携帯型義歯清掃器具。
【請求項２】
請求項１に記載したブラシ部分としては、丸棒下部の周囲にブラシが均一に取り付けられといることを特徴とする携帯型義歯清掃器具。
【請求項３】
請求項１に記載した取手部分としてはブラシ部分の延長でありブラシ部分と同様の丸棒であることを特徴とする携帯型義歯清掃器具。
【請求項４】
請求項１に記載した収納ケ−スとしては、ネジのついた蓋を有するものであって中に液体を入れても漏れることはないことを特徴とする携帯型義歯清掃器具。
【請求項５】
請求項１に記載したブラシ部分についてはその劣化が生じた場合、もしくは別サイズのブラシを使用したい場合には交換が可能であることを特徴とする携帯型義歯清掃器具。
【考案の詳細な説明】
【技術分野】
【０００１】  義歯のクラスプ（金属止め金具）、特にバネ部分の接触する部位の清掃を、義歯を装着した状態でも行える器具の提供を行う。また、義歯を外して清掃をする場合にも使用できる器具の提供を行う。義歯の種類は多種であり、患者に即した義歯を製造する必要があることから汎用性が必要になる。この発明になる器具の提供は、総入れ歯のような物には行なわず、部分入れ歯のようなクラスプで固定する形状の場合に適応させる
【背景技術】
【０００２】  従来の義歯の清掃器具としては、いわゆるブラシを小型にしたものが使われてきた。【０００３】  その清掃方法としては、義歯を外してブラシで擦る方法であった。例えば総入れ歯のような場合にはこのブラシは有効である。このブラシによる清掃方法によっては、装着したままでの清掃は外面の清掃が行えるのみであった。特に義歯を固定する歯と義歯との間の金具の汚れが激しいので、長時間に義歯を入れたママにする場合にはその汚れに起因する口臭や口腔衛生上の問題が生じることが問題で、通常寝る前に行う義歯を外しての一日に一回の洗浄剤による洗浄では解決できない問題であった。このように従来の形状のブラシでは装着時での洗浄については解決できない問題があった。
【課題を解決する手段】
【０００４】  このような問題を解決する方法の一つとして、義歯を装着した状態で清掃ができればいいことになる。
【０００５】  従来の義歯清掃用のブラシでは、装着したままでの外面の清掃は可能ですが、装着したままでの固定した歯との隙間の汚れを落とすことは出来ない。
【０００６】  しかしながら今回提供する義歯清掃器具では、ブラシ部分の支えになる丸棒の直径を小さくし、その装着部分の隙間に挿入することによって、清掃が可能になる。固定部分の金具はバネ性を有しているので清掃部分の固定位置を別の器具、或いは収容ケ−スの部分などを用いて少し持ち上げた状態で隙間を形成することが出来る。また、携帯型になっているので、たとえば食後に洗面所などで簡単に清掃が可能になる。
【０００７】  また、ブラシ部分が丸い形状であるので、ブラシを上下、前後するのみならず、回転して清掃することも可能であって、清掃の効率は非常に増大する。勿論、外側の清掃もそのまま行える。特にバネ性を持つクラスプは、変形を抑制するために上下方向に湾曲させているので、定常的に隙間が形成されている。ここに汚れが溜まってしまうのでこの清掃には適している。
【考案の効果】
【０００８】  義歯を装着した状態での清掃が可能になるので、清掃のために義歯を触って外す必要がない。
【０００９】  また、この清掃方法は簡便に行なうことができ、一日に何回も清掃を実施できるので、口臭の抑制、及び口腔衛生の向上にも効果がある。
【００１０】  納める容器には消毒用、或いは口腔洗浄用の液体を内蔵できるので、使用後に容器に戻すことによって自動的にブラシ部分の消毒が可能になる。勿論定期的にこの液体は取り替えることになる。
【００１１】  消毒用の液体としては、高濃度エタノール、次亜塩素酸ナトリウム、過酢酸製剤、及び二酸化塩素、グルコヘキシジングルコン酸塩などの口腔内洗浄除菌剤などが使用される。
【実施例】
【００１２】  この義歯清掃器具を外食後に使用して清掃したところ、口臭の発生が抑制された。
【図面の簡単な説明】
【００１３】
【図１】本件の実用新案の断面図
【符合の説明】
【００１４】  １  ブラシ部分
２  ハンドリング部分
３  ケ−ス本体
４  ケ−スキャップ
５  消毒、殺菌液
６  雌ネジ
７  雄ネジ
【図１】
0003229753.tif 000003
【手続補正書】
【提出日】令和2年9月9日(2020.9.9)
【手続補正１】
【補正対象書類名】実用新案登録請求の範囲
【補正対象項目名】全文
【補正方法】変更
【補正の内容】
【実用新案登録請求の範囲】
【請求項１】
ブラシ部分、取手部分、及び蓋を有する収納ケ−スとからなり、そのブラシ部分と取手部分とは同一の挿入部品であり、蓋を有する収納ケ−ス内に納められ、その収納ケ−ス内部には殺菌或いは消毒、或いは口腔洗浄除菌を目的とする液体を内蔵でき、蓋をすることによって液漏れを無くすことを特徴とする携帯型義歯清掃器具。
【請求項２】
請求項１に記載したブラシ部分としては、丸棒下部の周囲にブラシが均一に取り付けられといることを特徴とする携帯型義歯清掃器具。
【請求項３】
請求項１に記載した取手部分としてはブラシ部分の延長でありブラシ部分と同様の丸棒であることを特徴とする携帯型義歯清掃器具。
【請求項４】
請求項１に記載した収納ケ−スとしては、ネジのついた蓋を有するものであって中に液体を入れても漏れることはないことを特徴とする携帯型義歯清掃器具。
【請求項５】
請求項１に記載したブラシ部分についてはその劣化が生じた場合、もしくは別サイズのブラシを使用したい場合には交換が可能であることを特徴とする携帯型義歯清掃器具。
(57)【要約】【課題】着物着用時の着物と襦袢のズレを軽減し、着崩れ防止の補助と、紐類の簡略化によって、着付け時間の短縮化と締め付けによる不快感を軽減する腰紐を提供する。【解決手段】本考案は、腰紐１の中央部分を、３つ折りにした滑り止め２で包んで縫い合わせたものである。これにより着物と襦袢の両方が滑り止めで固定される効果がある。また、滑り止め２を腰紐より幅広くすることで、伊達締め同様の役割を持ち、紐類の簡略化が可能となる。【選択図】図１
0003229758.tif 000002
【実用新案登録請求の範囲】
【請求項１】
腰紐の中央部に滑り止めを有することを特徴とする腰紐。
【請求項２】
前記滑り止めは、腰紐の中央部を包むようにして縫い合わせて、両面を使用出来ることを特徴とする請求項１に記載された腰紐。
【請求項３】
前記滑り止めにメッシュ状の樹脂製シートを使用したことを特徴とする、請求項１から２のいずれか１項に記載された腰紐。
【考案の詳細な説明】
【技術分野】
【０００１】    本考案は、着物着用時の着物と襦袢のズレを軽減するための、腰紐に関するものである。
【背景技術】
【０００２】    着物の着付けにおいて、着物と襦袢のズレは着崩れに繋がるものである。それを防止するために腰紐・伊達締めなど使用する紐類が多く、締め付けによる不快感や手順の複雑さがあった。
【考案の概要】
【考案が解決しようとする課題】
【０００３】    本考案は、着物と襦袢のズレを軽減することで着崩れ防止の補助と、使用する紐類の簡略化を可能にする。
【課題を解決するための手段】
【０００４】    本考案は、腰紐の中央部を滑り止めで包んで縫い合わせたものである。滑り止めで腰紐を包むことにより、両面での使用が可能になる特徴がある。【０００５】    腰紐の素材はモスリン、滑り止めはメッシュ状の樹脂製シートを使用することを特徴とする。【０００６】    滑り止めは、腰紐よりも幅広いサイズであることを特徴とする。
【考案の効果】
【０００７】    滑り止めを縫い付けた中央部を、胸下中央で襦袢と着物の間に当てて使用することで、着物と襦袢の両方に滑り止めの効果をもたらし、着物と襦袢のズレを軽減して着付け姿の美しさを保つ効果がある。【０００８】    滑り止めを腰紐よりやや幅広にすることで、滑り止めが伊達締めと同様の働きを持ち、１本で腰紐と伊達締めを兼ねることから、着付け時間を短縮することが可能となる。【０００９】    また、使用する紐類を簡略化することによって、複数の紐類による締め付けからの不快感を軽減する効果がある。
【図面の簡単な説明】
【００１０】
【図１】図１は、本考案の実施形態に係る腰紐の正面図である。
【考案を実施するための形態】
【００１１】    本考案の構造について、実施例を基に図面を引用して説明する。
【実施例１】
【００１２】    図１は、本考案の外観図である。腰紐１の中央部分を、３つ折りにした滑り止め２で包んで、縫い合わせ部３を糸などで縫い合わせている。【００１３】    腰紐１の素材はモスリンで、長さが約２２０センチメートル、幅が約４センチメートルから４．５センチメートルである。なお、腰紐１の色、長さ、装飾は任意である。【００１４】    滑り止め２は、例えば、ポリ塩化ビニル樹脂、アクリル樹脂などの薄いシート状である。通気性と軽量化を考慮してメッシュ状のものを使用する。既製品を使用する場合は、長さが約３０センチメートル、幅が約１７センチメートルになるよう裁断する。腰紐１に縫い合わせた時に幅が約７センチメートルになるよう折り幅を調整する。【００１５】    縫い合わせ部３は、木綿糸など任意の糸を使用する。【００１６】    着用者は、襦袢を着用し、胸下中央に腰紐１の滑り止め２を当て、身体に巻き付けて締める。腰紐１の結び目を身体の左右いずれかにずらして結び、身体に巻き付けた腰紐１が滑り止め２に掛からないようにすることで、上から着用する着物にも滑り止め２の効果をもたらすことが出来る。
【符号の説明】
【００１７】  １  腰紐
２  滑り止め
３  縫い合わせ部
【図１】
0003229758.tif 000003
(57)【要約】      （修正有）【課題】自由に、変化する動きをするジュエリーを提供する。【解決手段】ジュエリーは、外側透明空洞球体１の中に内側空洞球体２が入っており、外側透明空洞球体１と内側空洞球体２の間には、液体５が入っており、外側透明空洞球体１の中で内側空洞球体２が自由に動き回り、内側空洞球体２の中には、磁石４が固定されており、内側空洞球体２の外面には、任意の模様３が描かれたり、樹脂で作った宝石の形をした物３が付着している。人が動けば、地磁気の性質を利用し、内側空洞球体が動き、内側空洞球体２の外面に描かれた任意の模様３や樹脂で作った宝石の形をした物３が動き回る。【選択図】図１
0003229792.tif 000002
【実用新案登録請求の範囲】
【請求項１】
空洞の透明球体の中に空洞球体が入っており、外側の空洞透明球体と内側の空洞球体の間には液体が入っており、外側の空洞の透明球体の中で内側の空洞球体が自由に動き回り、内側の空洞球体の中には磁石が固定されており、内側の空洞球体の外面には任意の模様が描かれたりスワロスキーなどが付着しており、人が動けば地磁気の性質を利用し内側の球体が動き、内側の空洞球体外面に描かれた任意の模様やスワロスキーなどが動き回る事を特徴とするジュエリー。
【考案の詳細な説明】
【枝術分野】
【０００１】本考案は空洞の透明球体の内側に空洞球体が入っており、内側の空洞球体と外側の空洞の透明球体の間には液体が入っており、外側の空洞の透明球体の中で内側の空洞球体が自由に動き回る。内側の空洞球体の中には磁石が固定されており、地磁気の性質を利用し内側の空洞球体外面に描かれた任意の模様やスワロスキーなどが付着している内側空洞体が動き回る。
【背景枝術】
【０００２】今までのピアスやイヤリングは前後左右にブラブラしているだけ。
【考案の概要】
【考案が解決しようとする課題】
【０００３】もっと自由に、もっと変化する動きのするジュエリーにならないのか！！
【課題を解決するための手段】
【０００４】地磁気を利用し人が動くたびに前後左右３６０°トルネード状に絵やスワロスキーが動く。
【考案の効果】
【０００５】トルネード状に動き回るジュエリーを身に付ける事により、絵やスワロスキーなどがトルネード状に動き回るピヤスやイヤリングを身に付け楽しむ事が出来る。
【図面の簡単な説明】
【０００６】
【図１】  外観図である
【考案を実施するための形態】
【０００７】空洞の透明球体の中に、空洞球体が入っており、内側の空洞球体と外側の空洞透明球体の間には、液体が入っており内側の空洞球体の中に磁石が固定されており、地磁気の性質を利用し人が動くたびに内側の空洞球体がトルネード状に動き回るピアスやイヤリンダ。
【実施例】
【０００８】１の中に２が入っており１と２の間には５が入っている。２の中には４が固定されており２の外面には３が描かれている。
人が動けば地磁気の作用で２がトルネード状に動き回る。
【符号の説明】
【０００９】１  外側透明空洞球体
２  内側空洞球体
３  絵やスワロスキーなど
４  磁石
５  液体
【図１】
0003229792.tif 000003
【図２】
0003229792.tif 000004
【図３】
0003229792.tif 000005
【手続補正書】
【提出日】令和2年7月2日(2020.7.2)
【手続補正１】
【補正対象書類名】実用新案登録請求の範囲
【補正対象項目名】全文
【補正方法】変更
【補正の内容】
【実用新案登録請求の範囲】
【請求項１】
空洞の透明球体の中に空洞球体が入っており、外側の空洞透明球体と、内側の空洞球体の間には、液体が入っており、外側の空洞透明球体の中で内側の空洞球体が自由に動き回り内側の空洞球体の中には、磁石が固定されており、内側の空洞球体の外面には任意の模様が描かれたり、樹脂で作った宝石の形をした物などが付着しており、人が重けば地磁気の性質を利用し内側の球体が動き、内側の空洞球体外面に描かれた任意の模様や樹脂で作った宝石の形をした物などが動き回る事を特徴とするジュエリー。
【手続補正２】
【補正対象書類名】明細書
【補正対象項目名】０００１
【補正方法】変更
【補正の内容】
【０００１】本考案は空洞の透明球体の内側に空洞球体が入っており、内側の空洞球体と外側の空洞の透明球体の間には液体が入っており、外側の空洞の透明球体の中で内側の空洞球体が自由に動き回る。内側の空洞球体の中には磁石が固定されており、地磁気の性質を利用し、内側の空洞球体外面に描かれた任意の模様や樹脂で作った宝石の形をした物などが付着している内側空洞球体が動き回る。
【手続補正３】
【補正対象書類名】明細書
【補正対象項目名】０００４
【補正方法】変更
【補正の内容】
【０００４】地磁気を利用し人が動くたびに前後左右３６０°トルネード状に任意に描かれた模様や樹脂で作った宝石の形をしこ物が動き回る。
【手続補正４】
【補正対象書類名】明細書
【補正対象項目名】０００５
【補正方法】変更
【補正の内容】
【０００５】トルネード状に動き回るジュエリーを身に付ける事により任意の模様や樹脂で作った宝石の形をした物がトルネード状に動き回るピアスやイヤリングを身に付け楽しむ事が出来る。
【手続補正５】
【補正対象書類名】明細書
【補正対象項目名】０００６
【補正方法】変更
【補正の内容】
【０００６】
【図１】外観図である。
【図２】内側空洞球体を上から見た図である。
【図３】内側空洞球体を横から見た図である。
【手続補正６】
【補正対象書類名】明細書
【補正対象項目名】０００９
【補正方法】変更
【補正の内容】
【０００９】１  外側透明空洞球体２  内側空洞球体３．任意の模様や樹脂で作った宝石の形をした物４．磁石５．液体
【手続補正書】
【提出日】令和2年9月10日(2020.9.10)
【手続補正１】
【補正対象書類名】実用新案登録請求の範囲
【補正対象項目名】全文
【補正方法】変更
【補正の内容】
【実用新案登録請求の範囲】
【請求項１】
空洞の透明球体の中に空洞球体が入っており、外側の空洞透明球体と内側の空洞球体の間には、液体が入っており、外側の空洞の透明球体の中で内側の空洞球体が自由に動き回り、内側の空洞球体の中には、磁石が固定されており、内側の空洞球体の外面には、任意の模様が描かれたり、樹脂で作った宝石の形をした物、が付着しており、人が動けば、地磁気の性質を利用し内側の球体が動き、内側の空洞球体外面に描かれた任意の模様や、樹脂で作った宝石の形をした物が動き回る事を特徴とするジュエリー。
(57)【要約】      （修正有）【課題】折り畳み式の本体に使用中のマスク又は使用前のマスクを手軽かつ清潔に型崩れを少なく一時保管することが出来るマスクケースを提供する。【解決手段】本体パネル１を折り曲げ可能な部分２で連結することにより、マスク４の型崩れを少なく収納できる機能を可能にし、本体パネルを４つ折りした際の留め具３を設けることによりポケットやバック内でもパネルが開くことなく収納でき、マスクを手軽かつ清潔に保管することができる。【選択図】図１
0003229794.tif 000002
【実用新案登録請求の範囲】
【請求項１】
平板形状の本体を折り畳み形式にすることにより、使用中または使用前のマスクを手軽にかつ清潔に、マスクを型崩れすることなく一時的に収納する事ができるマスクケース。留め部を設けることによりポケットやバックに入れても折りたたまれた状態を維持することを可能とする。
【考案の詳細な説明】
【技術分野】
【０００１】  本考案は、折り畳み式平板に、留め部を設けたマスク収納に関するものである。
【考案の概要】
【考案が解決しようとする課題】
【０００２】  使用中または使用前のマスクを一時的に保管する場所、また方法に苦慮する場合が多く、特に使用中のマスクは飲食店などでもテーブルの上に外したマスクをそのまま置くなど、衛生的にも問題があることを鑑み、それらの問題を解決しようと考案したものである。
【課題を解決するための手段】
【０００３】  本考案は、折り畳み式の板状の本体に挟む形でマスクを簡易に収納できるため、手軽かつ清潔に使用中または使用前のマスクを型崩れを少なく保管することを可能にすることにより問題を解決している。また収納本体よりマスク耳ひも部分が出る構造により、出し入れ時マスク本体面に触れることなく作業できる点も衛生面からの問題を考慮している。
【考案の効果】
【０００４】  上述の様に、本考案のマスクケースはマスク使用者が便利に使用できるだけでなく、周辺の他人の不快感を解消することに役立つ。
【図面の簡単な説明】
【０００５】
【図１】本考案のマスクケース本体をすべて開いた状態でマスクを置いた状況の一実施例を示す図面である。
【図２】本マスクケースを二つ折りにした際を示す図面である。
【図３】本マスクケースを４つ折りにし、留め具で固定した際を示す図面である。
【考案を実施するための形態】
【０００６】  収納本体は４枚のパネル部材を折りたたむ事によりマスクを収納する形状としている。４つ折り状態の際、本体の開き止めに留め部材を設ける。
【実施例】）【０００７】  以下添付図面に従って一実施例を説明する。１は洗浄や消毒に対応する耐久性の樹脂系等適宜素材の４枚に分けられたパネルを、２の折りたたみむ仕組みに対応する適宜素材により連結する。３の留め具により四つ折りされた本体が開かず固定できるようにする。
【符号の説明】
【０００８】  １  収納本体パネル部分
２  本体を折りたたむ際の曲がる部分
３  本体を４つ折りした際、開き防止の留め具
４  収納した際のマスクを表す
【図１】
0003229794.tif 000003
【図２】
0003229794.tif 000004
【図３】
0003229794.tif 000005
【手続補正書】
【提出日】令和2年9月14日(2020.9.14)
【手続補正１】
【補正対象書類名】実用新案登録請求の範囲
【補正対象項目名】全文
【補正方法】変更
【補正の内容】
【実用新案登録請求の範囲】
【請求項１】
平板形状の本体を折り畳み形式にすることにより、使用中または使用前のマスクを手軽にかつ清潔に、マスクを型崩れすることなく一時的に収納する事ができ、留め部を設けることによりポケットやバックに入れても折りたたまれた状態を維持することを可能とするマスクケース。
(57)【要約】      （修正有）【課題】折りたたみができ、組み立てが簡単で運搬、保管も容易であり、入浴の困難な被災地等でも容易に入浴を可能にする仮設風呂を提供する。【解決手段】仮設風呂は、折りたたみ可能な蝶番でつないだ鋼鉄の枠板と、鋼鉄の底板２と、ロックピン５、６とから構成される。枠板本体１２を広げ箱状にして底板２にロックピン５で固定し、上部もロックピン６で固定する。浴槽本体９は枠板本体１２と接着固定してあるので、枠板本体１２と浴槽本体９は同時に広がり仮設風呂となる。使用後は、ドレン排出ノズルを外し湯抜きして乾燥後折りたたみ収納する。【選択図】図５
0003229797.tif 000002
【実用新案登録請求の範囲】
【請求項１】
枠板を蝶番でつないだ箱形の内側に軟質樹脂製の浴槽を接着固定することで、簡単に組み立てができるとともに、持ち運びが容易で保管スペースを小さくできることを特徴とする折りたたみ仮設風呂
【考案の詳細な説明】
【技術分野】
【０００１】  本考案は、枠板を蝶番で止めた箱形の内側に軟質樹脂製の浴槽を接着固定した折りたたみ仮設風呂に関するものである。
【背景技術】
【０００２】  従来の仮設風呂は、最初から風呂の形状をしているため、かさばることで保管場所、運搬に問題があった。また、軟質樹脂製の仮設風呂は形状が安定せず、安定させる為の別途架台等が必要であった。
【先行技術文献】
【特許文献】
【０００３】
【特許文献１】実開平４−１０４８４３  広報
【特許文献】
【０００４】
【特許文献２】実開平１０−２９５７７０  広報
【考案の概要】
【考案が解決しようとする課題】
【０００５】  従来の仮設風呂は、硬質樹脂製や金属、木材などで作られており、その形態上、保管場所に広いスペースが必要であり運搬費用も高額であった。また、軟質樹脂製の仮設風呂は形状が不安定で、その設置には固定する架台が必要となり労的負担も大きい。従って、枠板を蝶番で止めた箱形の内側に、軟質樹脂製の浴槽を接着一体化し折りたたみ可能にすることで、かさばりを小さく、組み立てが容易になり、保管場所を小さく、運搬費用を抑え、労的負担を軽減し前述の欠点を解決するものである。
【課題を解決するための手段】
【０００６】  本考案は、平たく折りたたんだ枠板を広げることで、枠板本体の内部に折り込込んだ軟質樹脂製の浴槽が同時に広がる。その後、枠板本体を底板にロックピンで固定し、枠板上部もロックピンで固定する。それにより枠板本体はしっかりと固定される。また内部に折り込まれた浴槽は枠板本体と、浴槽上部の縁は溝ゴムで枠板本体に接着固定されており、仮設風呂の形状は安定したものとなる。平たい状態から仮設風呂が容易に組み立てられることにより問題点を解決している。
【考案の効果】
【０００７】  上述の様に、薄い鋼板製の板を蝶番でつなぐことで平面状にすることができるのでかさばらない。また、平面状のまま段ボール等に収納することで、狭いスペースで積み重ねての保管、運搬が容易である。更に取り出した後、素早い組み立てが可能でお湯を入れてすぐに入浴できる。使用後は、ドレン排出用キャップを外しお湯を抜き、固定金具を外し折りたたんで収納ができる。
【図面の簡単な説明】
【０００８】
【図１】枠板組立図（鋼板薄板製）
【図２】浴槽図（防水軟質樹脂製）
【図３】枠板折りたたみ状態図
【図４】枠板折りたたみ状態から広げる手順１図
【図５】枠板折りたたみ状態から広げる手順２図
【図６】仮設風呂組付け完了図
【考案を実施するための形態】
【０００９】  折りたたまれた枠板を広げると、枠板本体の内側に折りこまれた軟質樹脂製の浴槽が同時に広がる。その後、枠板本体を底板とロックピンで固定し、枠板上部もロックピンで固定することで、枠板本体はしっかりと固定される。
【実施例】
【００１０】  以下、添付図面に従って一実施例を説明する。通常、梱包されている時は図３の状態で折たたまれている。その状態から１２の枠板本体を引っ張ると図４のような箱状になる。その状態のまま２の底板の上に置き、図５の状態になったら５の下部ロックピン及び上部ロックピンを８のロックピン受け金具に差し込み、１２の枠板本体と２の底板を固定する。【００１１】  浴槽本体９は図３のＡ−Ａ断面のように、折り返した浴槽本体９の軟質樹脂を溝ゴム１１によって挟み込み、浴槽本体１２と接着剤で固定してあるので、枠板本体１２が広がると同時に浴槽本体９も広がることになる。その状態で組付け完了となり、お湯を入れれば仮設風呂になる。【００１２】  使用後は、ドレン排出ノズル１０の閉止キャップを外し、浴槽本体９に溜まったお湯を抜いた後、乾燥させ逆手順で作業を行い収納する。
【符号の説明】
【００１３】  １  枠板
２  底板
３  補強板
４  蝶番
５  下部ロックピン
６  上部ロックピン
７  ロックピン受け金具
８  ドレン用切り欠き
９  浴槽本体
１０  ドレン排出用ノズル
１１  溝ゴム
１２  枠板本体
【図１】
0003229797.tif 000003
【図２】
0003229797.tif 000004
【図３】
0003229797.tif 000005
【図４】
0003229797.tif 000006
【図５】
0003229797.tif 000007
【図６】
0003229797.tif 000008
【手続補正書】
【提出日】令和2年9月10日(2020.9.10)
【手続補正１】
【補正対象書類名】実用新案登録請求の範囲
【補正対象項目名】全文
【補正方法】変更
【補正の内容】
【実用新案登録請求の範囲】
【請求項１】
折りたたみ可能な蝶番でつないだ鋼製の枠板と、
鋼製の底板と、
ロックピンと、
から構成される仮設風呂であって、
前記仮設風呂は、
前記底板の上に箱状にした前記枠板が置かれることで構成され、さらに、
前記仮設風呂の上部と下部のそれぞれのロックピンで固定される、
仮設風呂。
(57)【要約】      （修正有）【課題】顔に掛けた時に、息苦しさやメガネの曇りが生じない呼吸快適マスクを提供する。【解決手段】呼吸快適マスクは、上半片１と下半片２から成り、両者が一部分域で重なった重合部４において呼吸に合わせて自在に上下に息が通し抜ける通気路６が形成される。【選択図】図１
0003229765.tif 000002
【実用新案登録請求の範囲】
【請求項１】
鼻と口と顎を覆うマスクにおいて、
鼻と口を覆う領域即ち上半片と、鼻孔と口と顎を覆う領域即ち下半片とが、鼻孔と口に当接する領域において上下に二枚重ね状に重合部をなしており、
重合部は、
左右両端縁際において結合されると共に、左右の結合部に挟まれた残余域は、呼吸に合わせて自在に上下に通し抜ける通気路として機能する、
ということを特徴とする呼吸快適マスク。
【考案の詳細な説明】
【技術分野】
【０００１】本考案は、息苦しさを感じさせないマスクに関するものである。
【背景技術】
【０００２】立体加工にして鼻や口を圧迫しない加工にしてあるマスクがよく知られている
【先行技術文献】
【０００３】参考文献無し
【考案が解決しようとする課題】
【０００４】立体加工にして圧迫しないようにして息苦しさを解消しようとしているマスクも鼻と口と顎を覆うっている為に次第に排出した息がマスク内にこもってくる。したがって呼吸を阻害され圧迫感がある。
又、メガネを掛けると息がマスクの上部から漏れてメガネを曇らせて見ずらくなる。
本考案は、これらの問題点を除く為に改良されたものである。
【課題を解決するための手段】
【０００５】  鼻と口と顎を覆うマスクにおいて、鼻と口を覆う領域即ち上半片と鼻孔と口と顎を覆う領域即ち下半片とが、鼻孔と口に当接する領域において上下に二枚重ね状に重合部をなしている。
重合部は、左右両端縁際において縫合または接着等の方法で結合されているが、左右の結合部に挟まれた残余域は分離して、呼吸に合わせて自在に上下に通し抜ける通気路として機能する。
これを装着するための耳掛け紐は、紐端を下半片の短手の上下両端角域に接合してある。
以上のような形で一体的に構成されたことを特徴とする呼吸快適マスクである。
【考案の効果】
【０００６】  マスクを長時間掛けていても息苦しさを感じない鼻呼吸が快適である。
ウイルス予防の為に夏場でもマスクを使用するが熱がこもり息が苦しい為に熱中症にかかりやすくなるリスクがある
そこで、マスクしていても熱がこもらず、呼吸も快適にでき飛沫感染を防止出来るマスクである。
尚且つ、こもった息が上に抜けることなく鼻息は下に抜けるのでメガネを曇らせる要素が無くなるのである。
【考案を実施するための形態】
【０００７】鼻と口と顎を覆うマスクにおいて、鼻と口を覆う領域即ち上半片（１）と鼻孔と口と顎を覆う領域即ち下半片（２）とが、鼻孔と口に当接する領域において上下に二枚重ね状に重合部（４）をなしている。
重合部（４）は、左右両端縁際において縫合または接着等の方法で結合されているが、左右の結合部（３）に挟まれた残余域は分離して、呼吸に合わせて自在に上下に通し抜ける通気路（６）として機能する。下半片（２）の短手辺から伸びた耳掛け紐（５）を普通に耳掛けして装着する。
マスクを長時間掛けていると酸欠状態になり息苦しくなる、口だけ覆うマスクにして鼻を出して外気を取り入れ呼吸をしている姿をテレビなどで見かけますが違和感があります、又、夏場のマスクは温度上昇がいちじるしく上がり熱中症になる恐れも十分あります、この様な時に通気路があるので全く息苦しさがなく、厚さもこもることなく快適である、又、ジョギング、卓球等の運動も楽しむことが可能である
【図面の簡単な説明】
【０００８】
【図１】本考案の正面図
【図２】本考案を装着した状態を示す斜視図
【符号の説明】
【０００９】１  上半片
２  下半片
３  結合部
４  重合部
５  耳掛け紐
６  通気路
【図１】
0003229765.tif 000003
【図２】
0003229765.tif 000004
(57)【要約】      （修正有）【課題】歩行者に踏まれても高い圧壊強度を有して損傷されにくく、防犯上有効な騒音発生能力を長期間にわたって維持できる防犯砂利を提供する。【解決手段】プラスチックを原材料として金型を用いて射出成形した石形状の物質からなり、表面を鏡面仕上げした形状の異なる２種類以上の組み合わせを積み重ねることにより隙間空間を意図的に構成し騒音を発生する。【選択図】図１
0003229352.tif 000002
【実用新案登録請求の範囲】
【請求項１】
プラスチックを原材料として金型を用いて射出成形した石形状の物質からなる防犯砂利
【請求項２】
プラスチックを原材料として金型を用いて射出成形した石形状の物質からなり、表面を鏡面仕上げした防犯砂利
【請求項３】
プラスチックを原材料として金型を用いて射出成形した石形状の物質からなり、表面を鏡面仕上げした比重１．０ｇ／ｃｍ3以上の防犯砂利
【請求項４】
プラスチックを原材料として金型を用いて射出成形した石形状の物質からなり、表面を鏡面仕上げした形状の異なる２種類以上の組み合わせを積み重ねることにより隙間空間を意図的に構成し騒音を発生する防犯砂利
【考案の詳細な説明】
【技術分野】
【０００１】
本考案は、プラスチックを原材料とする防犯砂利に関するものである。
【背景技術】
【０００２】
従来の防犯砂利は、ガラス発泡体や無機質材発泡体からなり、構造的に連続気泡を有する物質であったため、複層的に敷設して騒音が発生するも、人が踏むとその荷重に対する強度が低く、容易に破砕されて発泡構造が破壊されるため、破砕された発泡体が積まれた砂利の隙間を埋めることになり、使用を続けると騒音を発生させる機能が低下する課題があった。
【０００３】
さらに従来のガラス発泡体の防犯砂利や無機質材発泡体の防犯砂利は、連続気泡を有する構造のため比重が水よりも軽い１．０ｇ／ｃｍ3以下の物であり、雨水等天候に影響される屋外で使用されると敷設した防犯砂利が雨水に浸水し水に浮いてしまって流されるという課題があった。
【先行技術文献】
【特許文献】
【０００４】
【特許文献１】特開２０１０―０９５９７８号  公報
【特許文献２】特開２００７―１５４５１８号  公報
【特許文献３】特開２００５―２５６３１８号  公報
【考案の概要】
【考案が解決しようとする課題】
【０００５】
従来の防犯砂利は、ガラス発泡体や無機質材発泡体からなり、構造的に連続気泡を有する物質であったため、砂利を複層的に敷設して騒音が発生するも、人が踏む荷重での強度が低く、人が踏むと容易に破砕されて発泡構造が破壊された。そのため、破砕された発泡体が積まれた砂利の隙間を埋めることになり、使用を続けると騒音を発生させる機能が低下し短期間で敷き直しを要する課題があった。
【０００６】
とりわけ、ガラス発泡剤の防犯砂利は自動車の入る場所での使用はしないように仕様書の指示がなされていた。
【０００７】
また、従来のガラス発泡体や無機質材発泡体の防犯砂利は、連続気泡を有する構造のため雨などの気候条件に長期間さらされると、泥や異物などが発泡した気泡に詰まり、騒音が発生しにくくなった。
【０００８】
騒音を発生させる機能の低下に加えて、防犯砂利の外観が汚染されるため、邸宅等建物構造物の外構の特性である鑑賞物としての美観を持続する期間を短くする欠点があった。
本考案は、前述の欠点を解決しようとするものである。
【課題を解決するための手段】
【０００９】
本考案は、プラスチックを原材料として金型を用いて射出成形し、表面を鏡面仕上げした２種類以上の石形状の物質を組み合わせて、積み重ねた際に生じる隙間空間を意図的に構成し、それらの石形状の物質上に侵入する歩行者が歩行するに当たり荷重がかかり、石形状の物質同士が滑りあい衝突する事で、騒音を発生させる。従来のガラス発泡体や無機質材発泡体の連続気泡を有する構造体により騒音を発生させる防犯砂利に比較して、物質同士が滑りやすく、また破壊強度の低下を招来することなく騒音を発生させ、機能低下を防ぐ部材により防犯砂利の寿命を長期化させ問題点を解決している。
【００１０】
プラスチックの比重を１．０ｇ／ｃｍ3以上にすることにより、屋外で使用する際、雨水に浸水する課題を解決している。
【考案の効果】
【００１１】
騒音を発生させるメカニズムを本考案のようにプラスチック成形物質に変えることにより、従来のガラス発泡体や無機質材発泡体では定期的に交換ないし補充が必要であった不便さを解消し騒音を発生させる建築部材の長寿命化を図るとともに、防犯砂利に求められる外観の汚染を大幅に減少させることができて、外観の形状および美観を長寿命化するのに役立つ。
【００１２】
プラスチック射出成形工法により、プラスチック素材の石形状の製造工程で着色剤を練りこむ事ができ、異なる色彩の防犯砂利を敷き詰めることが容易となり、多彩な色の効果により、侵入者を視覚的に威圧して防犯する効果及び観賞用としての役割を果たすことも期待できる。
【図面の簡単な説明】
【００１３】
【図１】本考案の防犯砂利敷いた際のイメージ図
【図２】３次元自由曲線による本考案のプラスチック形成による石形状の物質の説明図
【図３】１種類のみの石形状の重なり合いにより構成される隙間空間の説明図
【図４】１種類のみの石形状を整列させて重ねた際の隙間空間の説明図
【図５】２種類以上の石形状の物質を組合わせて積み重ねたことにより構成される隙間空間の説明図
【考案を実施するための最良の形態】
【００１４】
表面を鏡面仕上げしにしたプラスチックを原材料とする石形状の物質にして異なる２種類以上の物質を積み重ねて隙間空間を意図的に構成する。石形状のプラスチック製砂利は表面を鏡面にして滑り性を上げており、単一の石形状のみを重ねた場合は、隙間空間が狭くなるのに比べて、滑り合い、衝突をする機会を増大させ、これにより大きな騒音を発生させる。
【符号の説明】
【００１５】
１    ３次元自由局面による凹みの形状
２    ３次元自由局面によるＲ形状の形状      
【図１】
0003229352.tif 000003
【図２】
0003229352.tif 000004
【図３】
0003229352.tif 000005
【図４】
0003229352.tif 000006
【図５】
0003229352.tif 000007
(57)【要約】      （修正有）【課題】不織布マスクの装着時に肌との擦れによる肌荒れ、また夏場等の周囲温度上昇による息苦しさを軽減するマスクホルダーを提供する。【解決手段】不織布マスクと同じ大きさに切り出したポリエチレン（ＰＥ）フィルム１に、両端にマスクひもを通す縦長スリット２とその上下にひも切れ防止の丸穴３を加工、さらに中央に不織布マスク膨らませ用楕円くり抜き穴４を加工し、不織布マスクと合体使用する。【選択図】図１
0003229386.tif 000002
【実用新案登録請求の範囲】
【請求項１】
各種適宜な厚みのポリエチレン（ＰＥ）フィルムに、不織布マスクの両ひもを通す縦長スリットを施し、中央に不織布マスクの膨らみを保持させるための楕円状等のくり抜きを施したことを特徴とするマスクフォルダー
【請求項２】
各色マスクフォルダー表面に、例えば動物、乗り物、フルーツ等のプリントを施したことを特徴とするマスクフォルダー
【請求項３】
マスクフォルダーの材質を熱可塑性ポリエチレンを用い、その上部をドライヤー等で温めて、鼻の形状にフィットするように加工できるマスクフォルダー
【請求項４】
各色マスクフォルダーの中央くり抜き形状を、例えば動物、乗り物、フルーツ、山等の形状を特徴とするマスクフォルダー
【請求項５】
布・不織布・紙類等に各種コート素材でコーティングを施したことを特徴とするマスクフォルダー
【請求項６】
布・不織布・紙類等に、各種合成樹脂フィルムシートのラミネート加工（パウチ加工）を施したことを特徴とするマスクフォルダー
【考案の詳細な説明】
【技術分野】
【０００１】本考案は、不織布マスクに膨らみを保持する、マスクフォルダーに関するものである。
【背景技術】
【０００２】一般的に、不織布マスクは入手した状態で使用していた。
【考案の概要】
【考案が解決しようとする課題】
【０００３】一般的な使用方法では、不織布マスクと鼻の頂点部及び唇の接触による肌荒れ等、また夏場等の周囲温度の上昇時に熱がこもって、息苦しさを感じることがある。
この点を解決しようとするものである。
【課題を解決するための手段】
【０００４】本考案は、不織布マスクに膨らみを保持させるためのマスクフォルダーを考案している。
このフォルダーは、不織布マスク大のポリエチレン（ＰＥ）フィルムに、両端にマスクひもを通す縦長のスリット加工を施し、中央部に膨らみを保持するための横長楕円形状のくり抜きを施すことにより、問題点を解決している。
【考案の効果】
【０００５】上述の様に、本考案のマスクフォルダーは膨らみを保持させることによる肌荒れの予防及び女性の化粧崩れ防止に役立つ。またマスク内の発熱の低減による快適性と熱中症の予防に役立つ。
【図面の簡単な説明】
【０００６】
【図１】本考案のマスクフォルダーの正面図である。
【図２】本ホルダーの不織布マスクへの装着図である。
【考案を実施するための形態】
【０００７】不織布マスクを台上に置き、その上にマスクフォルダーを被せる。不織布マスクのひもをマスクフォルダーの縦長スリットに、下方から両サイドに通してひもの固定部を、マスクフォルダーの縦長スリットの丸穴にセットする。中央に露出している不織布マスク上部のプリーツを引き上げ膨らみを保持させる。不織布マスクを顔に装着して、その下部を顎の下に引っ張ると共にプリーツの膨らみを鼻と唇が接触しないように調節する。
【実施例】
【０００８】以下、添付図面に従って一実施例を説明する。１はポリエチレン（ＰＥ）フィルム等適宜素材にて形成されたマスクフォルダーの本体、２は不織布マスクのひもを通すための縦長スリット、３は不織布マスクのひも切れを防止する丸穴加工、４は不織布マスクの通気と鼻・口等への接触防止で、マスクを膨らませるための楕円状くり抜き穴加工。
【符号の説明】
【０００９】  １  ポリエチレン（ＰＥ）フィルム
２  ひも通し縦長スリット
３  ひも切れ防止丸穴
４  不織布マスク膨らませ用楕円くり抜き穴
【図１】
0003229386.tif 000003
【図２】
0003229386.tif 000004
【手続補正書】
【提出日】令和2年8月28日(2020.8.28)
【手続補正１】
【補正対象書類名】実用新案登録請求の範囲
【補正対象項目名】全文
【補正方法】変更
【補正の内容】
【実用新案登録請求の範囲】
【請求項１】
各種適宜な厚みのポリエチレン（ＰＥ）フィルムに、不織布マスクの両ひもを通す縦長スリットを施し、中央に不織布マスクの膨らみを保持させるための楕円状のくり抜きを施したことを特徴とするマスクフォルダー
【請求項２】
各色マスクフォルダー表面に、例えば動物、乗り物、フルーツ等のプリントを施したことを特徴とするマスクフォルダー
【請求項３】
マスクフォルダーの材質を熱可塑性ポリエチレンを用い、その上部をドライヤー等で温めて、鼻の形状にフィットするように加工できるマスクフォルダー
【請求項４】
各色マスクフォルダーの中央くり抜き形状を、例えば動物、乗り物、フルーツ、山等の形状を特徴とするマスクフォルダー
【請求項５】
布・不織布・紙類等に各種コート素材でコーティングを施したことを特徴とするマスクフォルダー
【請求項６】
布・不織布・紙類等に、各種合成樹脂フィルムシートのラミネート加工を施したことを特徴とするマスクフォルダー
(57)【要約】      （修正有）【課題】マスク装着時、口の前にすき間を与え、息苦しさを感じ難いマスクを提供する。【解決手段】通気性のマスク本体部と、一対の耳掛け部と、を備えたマスクであって、耳掛け部は上部接続部と下部接続部８でマスク本体の左右端に配され、マスクを下に下げた状態で装着した時、下部接続部から耳の下部２１を通る耳掛け部９の延長線２２上の口元付近のマスクを引張り、マスク下端部４が顎と密接し、マスクを上に上げた状態で装着した時、下部接続部から耳の下部を通る耳掛け部の延長線上の鼻先接触部１１付近のマスクを引張り、マスク下端部はフリーとなり、口及び顎と離れる位置に下部接続部を配した。【選択図】図４
0003229384.tif 000002
【実用新案登録請求の範囲】
【請求項１】
通気性のマスク本体部と、一対の耳掛け部と、を備えたマスクであって、耳掛け部は上部接続部と下部接続部でマスク本体の左右端に配され、マスクを下に下げた状態で装着した時、下部接続部から耳の下部を通る耳掛け部の延長線上の口元付近のマスクを引張り、マスク下端部が顎と密接し、マスクを上に上げた状態で装着した時、下部接続部から耳の下部を通る耳掛け部の延長線上の鼻先接触部付近のマスクを引張り、マスク下端部はフリーとなり、口及び顎と離れる位置に下部接続部を配したことを特徴とする。
【請求項２】
マスク本体部が不織不、布、紙、又は、デニム生地で構成されている事を特徴とする請求項１に記載のマスク。
【請求項３】
耳掛け部が紐、又は、伸縮性のある材料である事を特徴とする請求項１−２のいずれかに記載のマスク。
【請求項４】
マスク本体部が左右対称シートで、中央にて縫い合わせ、又は  融着にて接合した事を特徴とする請求項１−３のいずれかに記載のマスク。
【請求項５】
耳掛け部がマスク本体部と一体である事を特徴とする請求項１−２のいずれかに記載のマスク。
【考案の詳細な説明】
【技術分野】
【０００１】  本考案は、人の鼻や口を覆うマスクに関する。
【背景技術】
【０００２】  従来、着用者の口許と鼻孔とを覆う通気性のマスク本体部と、一対の耳掛け部とを備えたマスクは公知であり、周知でもある。【０００３】  口許と鼻孔とを覆うマスクを着用した状態で、軽い運動や遊戯をした時、呼吸が苦しくなる。又は顔全体に熱がこもる場合がある。
【考案の開示】
【考案が解決しようとする課題】
【０００４】  本考案のマスクは、通常マスク装着時には、着用者の口許と鼻孔とを覆い、マスクを若干ずらした時、口の前にすき間を与え、息苦しさを感じ難い又、通気性が良くなり熱がこもりにくくなるマスクを提供する。
【課題を解決するための手段】
【０００５】  本考案のマスクは、通気性のマスク本体部と、一対の耳掛け部と、を備えたマスクであって、耳掛け部は上部接続部と下部接続部でマスク本体の左右端に配され、マスクを下に下げた状態で装着した時、下部接続部から耳の下部を通る耳掛け部の延長上付近の口元付近のマスクを引張り、マスク下端部が顎と密接し、マスクを上に上げた状態で装着した時、下部接続部から耳の下部を通る耳掛け部の延長線上付近の鼻先接触部付近のマスクを引張り、マスク下端部はフリーとなり、口及び顎と離れる位置に下部接続部を配したことを特徴とする。
【考案の効果】
【０００６】  マスクを下に下げて装着した時は、通常のマスクとして機能し、マスクを上に上げて装着した時は、口とマスク間に空間が発生する事で、軽い運動や遊戯をした時、呼吸が苦しくなりにくくなる。又、通気性が良くなり熱がこもりにくくなる。
【考案を実施するための最良の形態】
【０００７】  以下、本考案に適応した例を、図１から図４に基づいて説明する。
【実施例１】
【０００８】  図１は、マスクを左側面図である。１はマスク本体であって、２はマスク左端部、４はマスク下端部、５はマスク上端部、６は耳掛け部、７は上部接続部、８は下部接続部である。マスク本体１は布で構成する場合、不織不で構成する場合、ポリウレタンを混入、又は張り合わせる場合、デニム生地を使用する場合、紙を使用する場合等もある。【０００９】  図２は、マスクの正面図である。３はマスク右端部である。耳掛け部６は紐、又は、布で構成する場合が有り、伸縮性のある材料で構成する場合もある。また、マスク本体１と一体で構成する場合もある。【００１０】  図３は、マスクを下に下げた状態で人が装着した時の左側面図である。１０は下装着時鼻接触部であって、９は下部耳掛け部、２０は耳、２１は耳の下部、２２は延長線である。延長線２０は、耳の下部２１と下部接続部８を繋ぐ下部耳掛け部９の延長を示している。この時、延長線２２は、口元付近にあり、口元付近のマスクを引張り、マスク下端部４と顎付近が密接している。【００１１】  図４は、マスクを上に上げた状態で人が装着した時の左側面図である。１１は上装着時鼻接触部である。この時、延長線２２は、上装着時鼻接触部１１付近にあり、鼻の先端付近のマスクを引張り、マスク下端部４には、顎及び口元への引張り力がほとんど無くなり、よって、マスク下端部４と顎付近に空間ができている状態を示している。
【産業上の利用可能性】
【００１２】  本考案のマスクは、マスクを長時間装着する事で、呼吸が苦しい、熱がこもると感じている人に対し、効果がある。
【図面の簡単な説明】
【００１３】
【図１】マスクを左側面図。
【図２】マスクの正面図。
【図３】マスクを下に下げた状態で人が装着した時の左側面図。
【図４】マスクを上に上げた状態で人が装着した時の左側面図。
【符号の説明】
【００１４】１    マスク本体
２    マスク左端部
３    マスク右端部
４    マスク下端部
５    マスク上端部
６    耳掛け部
７    上部接続部
８    下部接続部
９    下部耳掛け部
１０  下装着時鼻接触部
１１  上装着時鼻接触部
２０  耳
２１  耳の下部
２２  延長線
【図１】
0003229384.tif 000003
【図２】
0003229384.tif 000004
【図３】
0003229384.tif 000005
【図４】
0003229384.tif 000006
【手続補正書】
【提出日】令和2年8月25日(2020.8.25)
【手続補正１】
【補正対象書類名】実用新案登録請求の範囲
【補正対象項目名】全文
【補正方法】変更
【補正の内容】
【実用新案登録請求の範囲】
【請求項１】
通気性のマスク本体部と、一対の耳掛け部と、を備えたマスクであって、耳掛け部は上部接続部と下部接続部でマスク本体の左右端に配され、マスクを下に下げた状態で装着した時、下部接続部から耳の下部を通る耳掛け部の延長線上の口元付近のマスクを引張り、マスク下端部が顎と密接し、マスクを上に上げた状態で装着した時、下部接続部から耳の下部を通る耳掛け部の延長線上の鼻先接触部付近のマスクを引張り、マスク下端部はフリーとなり、口及び顎と離れる位置に下部接続部を配したことを特徴とするマスク。
(57)【要約】      （修正有）【課題】口とマスクの間に隙間を持たせることを可能とし、空気の流通性が高まり、マスク内の温度の上昇を抑止する可動式マスクプロテクターを提供する。【解決手段】可動式マスクプロテクターは、上部と下部に分割されたガイドバー１が、回転式ハトメ２を介して可動となっており、ガイドバー１にはクッションシート３とクリップ４が装着されている。マスクをクリップ４で可動式マスクプロテクターに取り付けることにより、マスクと口の間に隙間を作り、空気の流通性を高めることができるため、マスク内温度上昇の抑止ができる。【選択図】図４
0003229302.tif 000002
【実用新案登録請求の範囲】
【請求項１】
マスクの装着位置を可動式構造とすることにより、マスクと口の隙間を調整できマスク内の温度上昇を抑止することができる可動式マスクプロテクター。
【考案の詳細な説明】
【技術分野】
【０００１】  この発明は可動式マスクプロテクターの形状に関するものである。
【背景技術】
【０００２】  マスクの口への密着による蒸れやマスク内温度の上昇を抑制するため、マスクの装着方法をガイドバーに取り付けることにより可動式とした。
図１に示すように、マスクの取り付け方法と可動式構造を工夫し作成されたものである。
【先行技術文献】
【特許文献】
【０００３】
【特許文献１】
【非特許文献】
【０００４】
【考案の概要】
【考案が解決しようとする課題】
【０００５】  マスクの口への密着による弊害（蒸れによるマスク内温度の上昇）を抑制するために、口とマスクの間に隙間を持たせることを可能な構造とすることを課題とする。
【課題を解決するための手段】
【０００６】  以上の課題を解決するために、マスクを取り付けることができる可動式構造のガイドバーである。このガイドバーへ一般に販売されているサージカルマスクを取り付け、口との隙間を調整できる構造とした。これによりマスクと口との間に空気を流通させることができる。
【考案の効果】
【０００７】  マスクを装着した場合に顔との間に隙間ができるため空気の流通性が高まり、マスク内温度の上昇抑止となる。
【図面の簡単な説明】
【０００８】
【図１】本考案の可動式マスクプロテクター実施例を示す斜視図である。（状態１）
【図２】本考案の可動式マスクプロテクター実施例を示す斜視図である。（状態２）
【図３】可動式マスクプロテクターを装着したところの図である。（状態１）
【図４】可動式マスクプロテクターを装着したところの図である。（状態２）
【考案を実施するための形態】
【０００９】  この考案の一実施形態を、図１及び図２に示す。
ガイドバー１は上部と下部に分割しており、回転式ハトメ２を介して可動式となっている。また、ガイドバー１にはクッションシート３が装着されている。
ガイドバー１にはクリップ４が４箇所装着されており、このクリップ４で一般に販売されているサージカルマスクを固定する。
【００１０】「実施形態の効果」
この実施形態によれば、マスクと口の隙間はガイドバー２を可動させることにより十分に空気の流通を確保することができる。
【符号の説明】
【００１１】  １ガイドバー
２回転式ハトメ
３クッションシート
４クリップ
【図１】
0003229302.tif 000003
【図２】
0003229302.tif 000004
【図３】
0003229302.tif 000005
【図４】
0003229302.tif 000006
【手続補正書】
【提出日】令和2年8月19日(2020.8.19)
【手続補正１】
【補正対象書類名】実用新案登録請求の範囲
【補正対象項目名】全文
【補正方法】変更
【補正の内容】
【実用新案登録請求の範囲】
【請求項１】
マスクの縁の部分に即したガイドバー形状であって、ガイドバーの中央部かつ左右にある回転式ハトメを介し、ガイドバーが上下に可動する構造を特徴とする一般的なサージカルマスクの裏面に装着し使用するプロテクター。